(57)【要約】  表示パネルの有効領域の端部における輝度低下や輝度むらを低減できる映像表示装置を提供する。映像表示装置は、入力される映像信号に基づいて映像を表示する表示パネルと、前面側の主面に複数の光源を有し、表示パネルの背面側に向けて複数の光源が発する光を照射する光源基板と、光源基板の主面上に設けられ、複数の光源のうち互いに隣り合う２つの光源の間を仕切る中空の隔壁が形成された反射シートと、表示パネルと光源基板との間に設けられ、光源基板から照射される光の輝度分布を均一化する板状の光学部材と、を備える。反射シートは、前面側から見たときに、光学部材の外周縁よりも外側に延設される。
2017038084.tif 000002
【特許請求の範囲】
【請求項１】
入力される映像信号に基づいて映像を表示する表示パネルと、
前面側の主面に複数の光源を有し、前記表示パネルの背面側に向けて前記複数の光源が発する光を照射する光源基板と、
前記光源基板の前記主面上に設けられ、前記複数の光源のうち互いに隣り合う２つの光源の間を仕切る中空の隔壁が形成された反射シートと、
前記表示パネルと前記光源基板との間に設けられ、前記光源基板から照射される前記光の輝度分布を均一化する板状の光学部材と、を備え、
前記反射シートは、前記前面側から見たときに、前記光学部材の外周縁よりも外側に延設される、
映像表示装置。
【請求項２】
前記反射シートの外周部は、前記光学部材に交差する方向に沿って形成され、前記光学部材の延長線上に配置される、
請求項１に記載の映像表示装置。
【請求項３】
前記反射シートの外周部は、前記光学部材よりも前面側に配置される、
請求項２に記載の映像表示装置。
【請求項４】
前記光学部材の外周縁は、前記前面側から見たときに、前記表示パネルの表示の有効領域の内側に配置され、
前記反射シートの外周部は、前記前面側から見たときに、前記有効領域の外側に配置される、
請求項１に記載の映像表示装置。
【発明の詳細な説明】
【技術分野】
【０００１】
本開示は、バックライトを有する映像表示装置に関する。
【背景技術】
【０００２】
例えば液晶表示装置等の、バックライトを有する映像表示装置において、画質を向上させるための様々な技術が継続的に開発されている。そのような技術の一例に、例えば、直下型のバックライトを用いたローカルディミング（Ｌｏｃａｌ  Ｄｉｍｍｉｎｇ）と呼ばれる技術がある。【０００３】
特許文献１は、ローカルディミングに関する技術を開示する。【０００４】
特許文献２は、直下型のバックライトを有する映像表示装置において、光源が発する光を拡散するレンズを複数の光源のそれぞれに配置することで、複数の光源が発する光の輝度分布を均一化する技術を開示する。
【先行技術文献】
【特許文献】
【０００５】
【特許文献１】特開２０１４−４１８３０号公報
【特許文献２】特開２０１４−６７６７９号公報
【発明の概要】
【０００６】
しかしながら、特許文献１および特許文献２に開示された技術では、表示パネルの映像表示領域（映像の表示が有効な領域。以下、単に「有効領域」ともいう）の端部において、輝度低下や輝度むらが発生するおそれがある。
【０００７】
本開示は、表示パネルの有効領域の端部における輝度低下や輝度むらを低減できる映像表示装置を提供する。
【０００８】
本開示の一態様における映像表示装置は、入力される映像信号に基づいて映像を表示する表示パネルと、前面側の主面に複数の光源を有し、表示パネルの背面側に向けて複数の光源が発する光を照射する光源基板と、光源基板の主面上に設けられ、複数の光源のうち互いに隣り合う２つの光源の間を仕切る中空の隔壁が形成された反射シートと、表示パネルと光源基板との間に設けられ、光源基板から照射される光の輝度分布を均一化する板状の光学部材と、を備える。反射シートは、前面側から見たときに、光学部材の外周縁よりも外側に延設される。
【０００９】
本開示における映像表示装置は、表示パネルの有効領域の端部における輝度低下や輝度むらを低減できる。
【図面の簡単な説明】
【００１０】
【図１】図１は、実施の形態１における映像表示装置の外観の一例を模式的に示す図である。
【図２】図２は、実施の形態１における映像表示装置の構成の一例を模式的に示す分解斜視図である。
【図３】図３は、実施の形態１における映像表示装置が備える光源基板が取り付けられたベースプレートの一例を模式的に示す平面図である。
【図４】図４は、実施の形態１における映像表示装置が備える光源基板の構成の一例を模式的に示す平面図である。
【図５】図５は、実施の形態１における映像表示装置が備える反射シートの形状の一例を模式的に示す斜視図である。
【図６】図６は、実施の形態１における映像表示装置が備えるフラッタの形状の一例を模式的に示す平面図である。
【図７】図７は、実施の形態１の映像表示装置における光源基板への反射シートの取り付け例を模式的に示す斜視図である。
【図８】図８は、実施の形態１の映像表示装置における各部材の配置の一例を模式的に示す断面図である。
【図９】図９は、実施の形態１の映像表示装置における各部材の配置の一例を模式的に示す断面図である。
【図１０】図１０は、実施の形態１における映像表示装置の端部付近の構造の一例を模式的に示す断面図である。
【発明を実施するための形態】
【００１１】
（本開示の基礎となった知見）
本願発明者は、従来の映像表示装置に以下の問題が生じることを見出した。
【００１２】
例えば、特許文献２に開示された技術を用いた映像表示装置では、光源が発する光をレンズによって拡散するため、光源の数が相対的に少ない場合、表示パネルの有効領域の端部は、光源からの距離が相対的に遠くなり、輝度が低下しやすい。この問題の解決策として、光源の数を増加させることが考えられる。これにより、表示パネルの有効領域の端部における輝度を確保することができる。
【００１３】
しかしながら、特許文献２に開示された技術を用いた映像表示装置では、レンズを複数の光源のそれぞれに対して配置するため、光源の数に応じてレンズの数も増える。さらに、各レンズを、光源に対して適切な位置に精度よく配置する必要がある。そのため、映像表示装置の製造工程においては、光源の数を増加させた分だけ、レンズを配置する工程が増えるという問題がある。このように、レンズを用いて光を拡散する方式を用いた映像表示装置では、表示パネルの有効領域の端部の輝度低下や輝度むらを低減することは、レンズの増加や製造工程の増加を伴うため、容易ではない。
【００１４】
本願発明者らは、複数の光源のそれぞれにレンズを配置する代わりに、複数の光源が発する光の輝度分布を均一化するための光学部材（フラッタ）を配置する構成を検討した。フラッタは、配置の際に要する精度が、レンズを配置する際に求められる精度ほど高くはなく、また、フラッタ自体が１つの光学部材であるため、複数のレンズを配置する場合と比較して、配置が容易である。そして、１つの部材としてフラッタを配置するだけで、複数の光源から発せられる光の輝度分布を均一化（輝度分布の均一性を向上）できる。したがって、光の輝度分布の均一化のためにフラッタを用いた映像表示装置では、光源が発する光をレンズによって拡散する映像表示装置と比較して、光源の数を増加させることが容易にできる。すなわち、フラッタを用いた映像表示装置では、表示パネルの有効領域の端部近辺まで光源を配置することが容易にでき、表示パネルの有効領域の端部における輝度を向上することが容易にできる。フラッタを用いた映像表示装置は、光源の光を前方（表示パネル側）に向けて反射するための反射シートを備えてもよい。この場合、フラッタは、反射シートよりも前方（表示パネル側）に配置される。
【００１５】
しかしながら、フラッタを用いた映像表示装置において、表示パネルの有効領域の端部近辺まで光源を配置した場合、反射シートの端部により反射された光とフラッタの端部との位置関係が十分に考慮されていなければ、表示パネルの有効領域の端部において、輝度低下や輝度むらが生じるおそれがある。そのため、フラッタを用いた映像表示装置においては、反射シートの端部と、フラッタの端部との位置関係を十分に考慮する必要がある。
【００１６】
本開示の一態様における映像表示装置は、入力される映像信号に基づいて映像を表示する表示パネルと、前面側の主面に複数の光源を有し、表示パネルの背面側に向けて複数の光源が発する光を照射する光源基板と、光源基板の主面上に設けられ、複数の光源のうち互いに隣り合う２つの光源の間を仕切る中空の隔壁が形成された反射シートと、表示パネルと光源基板との間に設けられ、光源基板から照射される光の輝度分布を均一化する板状の光学部材と、を備える。反射シートは、前面側から見たときに、光学部材の外周縁よりも外側に延設される。
【００１７】
この構成によれば、前面側から見たときに、反射シートが光学部材の外周縁よりも外側に延設されるように反射シートが配置される。そのため、反射シートは、光学部材の外側の領域においても、光源が発した光を反射できる。これにより、表示パネルの有効領域の端部であっても、輝度低下や輝度むらを低減できる。すなわち、この構成によれば、比較的簡単な構成で、表示パネルの有効領域の端部における輝度低下や輝度むらを低減できる。
【００１８】
例えば、反射シートの外周部は、光学部材に交差する方向に沿って形成されてもよく、光学部材の延長線上に配置されてもよい。
【００１９】
この構成によれば、光学部材と反射シートとの間に隙間を設けた状態で、光学部材の端部と反射シートとを対向して配置することができる。したがって、反射シートは、輝度低下しやすい端部側（表示パネルの有効領域の端部側）において、光源が発した光の一部を表示パネルの有効領域の中央側に向けて反射できる。これにより、表示パネルの有効領域の端部であっても、比較的簡単な構成で、効果的に輝度低下や輝度むらを低減できる。
【００２０】
例えば、反射シートの外周部は、光学部材よりも前面側に配置されてもよい。
【００２１】
この構成によれば、反射シートは、光学部材の前面側においても、光源が発した光の一部を表示パネルの有効領域の中央側に向けて反射できる。このため、表示パネルの有効領域の端部であっても、比較的簡単な構成で、効果的に輝度低下や輝度むらを低減できる。
【００２２】
例えば、光学部材の外周縁は、前面側から見たときに、表示パネルの有効領域の内側に配置されてもよい。反射シートの外周部は、前面側から見たときに、表示パネルの有効領域の外側に配置されてもよい。
【００２３】
この構成によれば、表示パネルの有効領域の端部をまたぐようにして、光学部材と反射シートとの間の隙間を設けることができる。これにより、反射シートは、光源が発した光の一部を、表示パネルの有効領域の端部より外側から、有効領域の中央側に向けて反射できる。このため、表示パネルの有効領域の端部であっても、比較的簡単な構成で、効果的に輝度低下や輝度むらを低減できる。
【００２４】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００２５】
なお、以下で説明する実施の形態は、いずれも本開示の一具体例を示すものである。以下の実施の形態で示される数値、形状、材料、構成要素、構成要素の配置位置および接続形態等は、一例であり、本開示を限定する主旨ではない。また、以下の実施の形態における構成要素のうち、最上位概念を示す独立請求項に記載されていない構成要素については、任意の構成要素として説明される。
【００２６】
なお、添付図面および以下の説明は、当業者が本開示を十分に理解するために提供されるのであって、これらにより特許請求の範囲に記載の主題を限定することは意図されていない。
【００２７】
また、各図は、模式図であり、必ずしも厳密に図示されたものではない。また、各図において、実質的に同じ構成要素については同じ符号を付し、説明を省略または簡略化する場合がある。
【００２８】
（実施の形態１）
以下、図１〜図１０を参照しながら実施の形態１における映像表示装置１について説明する。なお、本実施の形態では、図面にＸ軸、Ｙ軸、Ｚ軸の３軸を示し、表示パネルの長辺に平行な方向（図１の横方向）の軸をＸ軸、表示パネルの短辺に平行な方向（図１の縦方向）の軸をＹ軸、Ｘ軸Ｙ軸の双方に直交する方向（映像表示装置１の前後方向に平行な方向）の軸をＺ軸とする。しかし、これらの軸は便宜的に示したものに過ぎず、何ら本開示を限定するものではない。
【００２９】
［１−１．構成］
実施の形態１における映像表示装置１は、表示パネルとしての液晶表示パネルと、その表示パネルを背面から照明するための光源基板と、を備える液晶表示装置である。映像表示装置１は、映像表示装置の一例である。光源基板には、各々が表示パネルの互いに異なる領域に対応して設けられた複数の光源と、複数の光源の各々を、制御信号によって表される明るさ（映像の対応領域内の明るさ）に応じた輝度で発光するように駆動（調光）するドライバ素子と、が搭載される。なお、映像の対応領域内の明るさとは、１つの光源が照明する表示パネルの領域（すなわち、その光源に対応する領域）における映像の明るさ（映像の部分的な明るさ）のことである。
【００３０】
図１は、実施の形態１における映像表示装置１の外観の一例を模式的に示す図である。
【００３１】
図１に示すように、映像表示装置１は、表示パネル７０および光源基板（図１には示さず）が、前面が開放された筐体１ａ内に格納された、一般的なフラットパネルディスプレイの外観を有する。なお、本実施の形態では、映像表示装置１および各構成部材におけるユーザに正対する面（図１に示されている側の面）を前面と称し、前面の反対側の面（裏面）を背面と称する。
【００３２】
図２は、実施の形態１における映像表示装置１の構成の一例を模式的に示す分解斜視図である。
【００３３】
図３は、実施の形態１における映像表示装置１が備える光源基板２０が取り付けられたベースプレート１０の一例を模式的に示す平面図である。なお、図３には、ベースプレート１０を前面側から見た平面図を示す。
【００３４】
図２に示すように、映像表示装置１は、ベースプレート１０、複数の光源基板２０、反射シート３０、フラッタ４０、各種の光学シート５０、モールドフレーム６０、表示パネル７０、ベゼル８０、接続端子基板９１、信号処理基板９２、および電源基板９３、を備える。これらの部材が筐体１ａ（図１参照）に格納されて、映像表示装置１は構成されている。なお、映像表示装置１は、これらの部材の他に、支持部材、締結部材、および補強部材、等を有するが、それらの部材の図示は省略している。これらは、必要に応じて後述する。
【００３５】
ベースプレート１０は、光源基板２０、接続端子基板９１、信号処理基板９２、および電源基板９３を取り付ける基台としての支持基板である。ベースプレート１０は、例えば、板金で形成されるが、他の材料で形成されてもよい。ベースプレート１０には、支持部材を取り付けるための貫通孔、ねじ穴、光源基板２０同士をベースプレート１０の背面側を通るケーブルで接続するための開口、等が設けられている。
【００３６】
光源基板２０は、表示パネル７０の背面側に設けられ、表示パネル７０の背面側を照明するバックライトモジュールである。光源基板２０は、前面側の主面に複数の光源を有し、表示パネル７０の背面側に複数の光源が発する光を照射する。また、光源基板２０は、前面側の主面に配置され、複数の光源の各々を駆動するドライバ素子を有する。複数の光源のそれぞれは、例えば、発光ダイオード（ＬＥＤ：Ｌｉｇｈｔ  Ｅｍｉｔｔｉｎｇ  Ｄｉｏｄｅ）である。すなわち、複数の光源のそれぞれは、点光源である。ベースプレート１０の前面（表示パネル７０側の面）には、図３に示すように、複数の同形の光源基板２０がマトリクス状に配置された状態で取り付けられている。これら複数の光源基板２０により、表示パネル７０を照明する直下型のバックライトが構成されている。光源基板２０の詳細は後述する。
【００３７】
反射シート３０は、光源基板２０の複数の光源が設けられている主面（表示パネル７０側の面）上に設置され、開口を有し、その開口を貫通した光源（図４に示す光源基板２０の光源２１）から出射される光の一部を前面（表示パネル７０側）に向けて反射するシートである。反射シート３０は、例えば、白色の合成樹脂で形成されるが、白色の他の材料で形成されてもよい。反射シート３０には、複数の光源のうち互いに隣り合う２つの光源の間を仕切る、前方に向かって隆起した中空の隔壁（図５参照）が形成されている。したがって、光源の周囲は隔壁によって囲まれ、各光源は、当該光源の周りの当該隔壁で囲まれた領域を照明する。反射シート３０の詳細は後述する。
【００３８】
フラッタ４０は、光源基板２０から照射される光の輝度分布を均一化（輝度分布の均一性を向上）するために、反射シート３０の前方（表示パネル７０側）に設けられたシート状の光学部材である。フラッタ４０は、光源から出射される光を一様に透過するのではなく、光源によって照明される領域毎に光の透過率（以下、単に「透過率」ともいう）の分布を有する。なお、本実施の形態では、透過率が相対的に高い部分と透過率が相対的に低い部分とが分布していることを透過率の分布という。フラッタ４０は、例えば、合成樹脂で構成されるが、他の材料で形成されてもよい。上述したように光源基板２０が備える光源はＬＥＤによる点光源のため、フラッタ４０がない場合、その光源が照明する領域内には輝度差が生じる。フラッタ４０は、その輝度差を相殺するように設定された透過率の分布を、所定の透過率の分布として有する。これにより、フラッタ４０は、光源によって照明される領域内の互いに異なる位置の輝度を、互いに等しい輝度に近づけることができ、当該領域内の輝度の均一性を向上できる。このように、フラッタ４０は、表示パネル７０と光源基板２０との間に設けられ、光源基板２０から照射される光の輝度分布を均一化（輝度分布の均一性を向上）する。フラッタ４０の詳細は後述する。
【００３９】
光学シート５０は、表示パネル７０とフラッタ４０との間に配置され、フラッタ４０以外の各種の光学機能を有するシートである。光学シート５０は、例えば、光を拡散することにより輝度の均一性をさらに向上する拡散板や、光の進路を前面方向に揃えることによりユーザによって視認される輝度を向上するプリズムシート、等を含む。光学シート５０は、例えば、表面に、機能に応じた微細形状が設けられて成形された合成樹脂で構成することができる。なお、光学シート５０は、光源基板２０が備える光源から光学シート５０までの距離が所定の範囲に維持されているときに適切に効果を得られるため、光学シート５０と光源との間隔は適切な範囲に（例えば、第２所定間隔より小さくならないように）維持されることが望ましい。
【００４０】
モールドフレーム６０は、表示パネル７０、光学シート５０、および反射シート３０の外周を背面から支持する支持部材である。モールドフレーム６０は、例えば、合成樹脂で形成されるが、他の材料で形成されてもよい。具体的には、モールドフレーム６０は、表示パネル７０の外周部を背面から支持する第１モールドフレーム６１と、光学シート５０および反射シート３０の外周を背面から支持する第２モールドフレーム６２と、を有する。また、モールドフレーム６０は、表示パネル７０と第１モールドフレーム６１との間に配置されるクッション部材６３と、第１モールドフレーム６１と光学シート５０との間に配置されるクッション部材６４と、を有する（図１０参照）。モールドフレーム６０は、ベースプレート１０に固定されてもよい。また、モールドフレーム６０は、第１モールドフレーム６１と第２モールドフレーム６２とが一体に形成されていてもよい。
【００４１】
表示パネル７０は、複数の画素がマトリクス状に配列されて構成された映像表示用の液晶パネルである。表示パネル７０は、駆動回路（図示せず）に入力される映像信号に基づいて映像を表示する。
【００４２】
ベゼル８０は、表示パネル７０の外周を前面から支持する支持部材である。ベゼル８０は、例えば、金属で形成されるが、合成樹脂で形成されてもよい。
【００４３】
接続端子基板９１は、映像信号を受信するための端子およびインターフェース回路が設けられた回路基板である。信号処理基板９２は、映像信号を処理するための信号処理回路が設けられた回路基板である。信号処理基板９２には、光源基板２０の光源の輝度を制御（調光）するための制御信号を、映像信号に基づいて生成する回路も設けられている。電源基板９３は、映像表示装置１に動作電力（以下、単に「電力」という）を供給するための電源回路が設けられた回路基板である。接続端子基板９１、信号処理基板９２、および電源基板９３は、ベースプレート１０の背面に取り付けられている。
【００４４】
次に、光源基板２０について説明する。
【００４５】
図４は、実施の形態１における映像表示装置１が備える光源基板２０の構成の一例を模式的に示す平面図である。図４の下段に示す図は、図３に示す領域Ａ１の拡大図である。図４には、光源基板２０の前面に配置された各部材の一例を示している。なお、図４の上段には、図４の下段の図において破線で囲った領域の拡大図（部分拡大図）を示す。また、図４の一部には、視覚的にわかりやすくするために、便宜的に、個々の光源２１で照明される表示パネル７０の領域７１に対応する位置を二点鎖線で示している。
【００４６】
図４に示すように、光源基板２０には、複数の光源２１と、複数のドライバ素子２２およびドライバ素子２３と、が搭載されている。
【００４７】
光源２１の各々は、表示パネル７０の互いに異なる領域７１に対応して設けられている。光源２１には高電圧ＬＥＤが用いられる。高電圧ＬＥＤとは、例えば、複数のＬＥＤ素子（すなわち、複数のｐｎ接合）を直列に接続して構成されたＬＥＤである。高電圧ＬＥＤは、単一のＬＥＤ素子（低電圧ＬＥＤ）と比べて、より高い電圧を印加することができる。そして、高電圧ＬＥＤは、より高い電圧を印加することにより、単一のＬＥＤ素子に流れる電流と実質的に同じ電流で、より高い発光輝度を得ることができる。
【００４８】
ドライバ素子２２およびドライバ素子２３は、信号処理基板９２から供給される制御信号に基づき光源２１を駆動する半導体素子である。ドライバ素子２２およびドライバ素子２３には、各光源２１に対応する領域７１における映像の明るさを表す制御信号が、信号処理基板９２から供給される。そして、ドライバ素子２２およびドライバ素子２３は、光源２１の各々を、当該制御信号によって表される明るさに応じた輝度で発光するように駆動（調光）する。ドライバ素子２２は、例えば、酸化物半導体（ＭＯＳ：Ｍｅｔａｌ−Ｏｘｉｄｅ  Ｓｅｍｉｃｏｎｄｕｃｔｏｒ）トランジスタであってもよい。ドライバ素子２３は、例えば、制御信号からドライバ素子２２のゲート信号を生成する半導体集積回路（ＩＣ：Ｉｎｔｅｇｒａｔｅｄ  Ｃｉｒｃｕｉｔ）であってもよい。
【００４９】
光源基板２０には、フラッタ４０を支持する支持部材が貫通する開口２４、および光源基板２０をベースプレート１０にビス止めするためのビス孔２５、が設けられている。また、光源基板２０が取り付けられているベースプレート１０には、開口２４よりも小さい形状を有し、支持部材を立てるための貫通孔１１および貫通孔１２が設けられている。
【００５０】
ベースプレート１０では、貫通孔１１、貫通孔１２およびビス孔（図示せず）を、互いに隣接する領域７１の境界線上に配置している。同様に、光源基板２０では、ドライバ素子２２、ドライバ素子２３、開口２４、およびビス孔２５を、互いに隣接する領域７１の境界線上に配置している。
【００５１】
次に、反射シート３０について説明する。
【００５２】
図５は、実施の形態１における映像表示装置１が備える反射シート３０の形状の一例を模式的に示す斜視図である。図５の一部には、視覚的にわかりやすくするために、領域７１に対応する位置を二点鎖線で示している。
【００５３】
図５に示すように、反射シート３０には、隔壁３１、開口３２、および開口３３が形成されている。
【００５４】
開口３２は、反射シート３０の背面側に配置されている光源基板２０の光源２１に対応する位置に設けられている。光源２１は、反射シート３０の背面から開口３２を貫通して反射シート３０の前面に露出する。
【００５５】
反射シート３０は、光源２１から照射される光を反射するように、白色の合成樹脂で形成されている。そして、反射シート３０は、開口３２を貫通して前面に露出した光源２１から出射される光の一部（背面方向に進行する光、等）を前方（表示パネル７０方向）へ反射する。
【００５６】
反射シート３０に形成された隔壁３１は、前面側（表示パネル７０側、Ｚ軸方向プラス側（図２、図４参照））に向かって突出して形成された中空の部位である。隔壁３１は、互いに隣り合う開口３２（すなわち、互いに隣り合う光源２１）の間を仕切る位置に形成されている。反射シート３０の隔壁３１は、第１方向に沿って形成された部分と第２方向に沿って形成された部分とが交わる交点部分３１ａと、第１方向または第２方向に平行に形成される直線部分３１ｂと、を有する。なお、第１方向は例えばＸ軸方向であり、第２方向は例えばＹ軸方向（図２、図４参照）であるが、本開示は何らその設定に限定されず、それらは互いに逆であってもよい。
【００５７】
また、隔壁３１は、直線部分３１ｂに凹部３５を有する。凹部３５は隔壁３１の一部が前面側に突出しないことで形成される。凹部３５は、開口３２（言い換えれば、光源２１）に対し、第１方向（例えば、Ｘ軸方向）および第２方向（例えば、Ｙ軸方向）の少なくとも一方向における隔壁３１上の位置に形成される。すなわち、凹部３５は、開口３２（光源２１）から第１方向における隔壁３１上の位置と、開口３２（光源２１）から第２方向における隔壁３１上の位置との少なくとも一方に形成される。
【００５８】
また、隔壁３１は、互いに隣接する領域７１の境界線上において最も前面側に向かって突出しており、前面側に向かうにしたがって厚みが薄く（直線部分３１ｂの延伸方向に直交する方向の幅が小さく）なっている。すなわち、隔壁３１は、表示パネル７０の表示面に対して、隔壁３１の厚みが薄くなる方向に傾斜した傾斜面３１ｃ（図７参照）を有する。この傾斜面３１ｃは、光源２１から発せられ隔壁３１に向かって進行する光を、前面側（表示パネル７０側）へ反射する。
【００５９】
反射シート３０の、隔壁３１の凹部３５には、開口３３が形成されている。後述するように、支持部材は、開口３３を貫通する。
【００６０】
次に、フラッタ４０について説明する。
【００６１】
図６は、実施の形態１における映像表示装置１が備えるフラッタ４０の形状の一例を模式的に示す平面図である。図６の一部には、視覚的にわかりやすくするために、領域７１に対応する位置を二点鎖線で示している。
【００６２】
図６に示すように、フラッタ４０は、合成樹脂で形成されたシートに大小様々な大きさの孔４１が設けられて、形成されている。フラッタ４０では、孔４１によって光の透過率を調整している。すなわち、フラッタ４０は、領域７１内に、孔４１の配置（大きさ、位置、数）に応じた透過率の分布を有する。フラッタ４０における透過率の分布は、フラッタ４０がない場合に領域７１内に光源２１により生じる輝度分布（輝度の偏り）を相殺するように設定されている。このように、フラッタ４０は、光源２１により生じる輝度分布を相殺するように設定された所定の透過率の分布を有する。これによりフラッタ４０は、領域７１内の輝度の均一性を向上することができる。なお、フラッタ４０の透過率の分布は、フラッタ４０と光源２１との間隔が所定の距離（以下、第１所定間隔という）に維持されているときに適切に効果を得られるように設定されている。そのため、フラッタ４０による効果を適切に得るためには、フラッタ４０と光源２１との間隔は第１所定間隔に維持されることが望ましい。
【００６３】
次に、支持部材１００による反射シート３０の光源基板２０への取り付けについて説明する。
【００６４】
図７は、実施の形態１の映像表示装置１における光源基板２０への反射シート３０の取り付け例を模式的に示す斜視図である。
【００６５】
図８、図９は、実施の形態１の映像表示装置１における各部材の配置の一例を模式的に示す断面図である。図８には、図７のＶＩＩＩ−ＶＩＩＩ線断面図を示し、図９には、図７のＩＸ−ＩＸ線断面図を示す。なお、図７ではフラッタ４０および光学シート５０の図示を省略しているが、図８、図９にはフラッタ４０および光学シート５０を示している。
【００６６】
図７〜図９に示すように、支持部材１００は、隔壁３１の凹部３５の形状に対応する形状の壁部１１０を有する。また、支持部材１００は、軸部１０５と、係合部１２０と、板部１３０と、をさらに有する。軸部１０５は、ベースプレート１０の貫通孔１１と、光源基板２０の開口２４と、反射シート３０の開口３３と、フラッタ４０の孔４１と、を貫通する。支持部材１００は、ベースプレート１０の貫通孔１１に取り付けられた状態で、係合部１２０と板部１３０との間に、ベースプレート１０、光源基板２０および反射シート３０を挟み込む。これにより、反射シート３０は光源基板２０およびベースプレート１０に取り付けられている。支持部材１００は、例えば、白色の合成樹脂で形成されるが、他の材料で形成されてもよい。
【００６７】
また、反射シート３０は、光源２１を露出させる開口３２の周囲の平坦部分において、接着テープ３６で光源基板２０に貼り付けられている（図７、図９参照）。このようにして、反射シート３０は、光源基板２０に固定される。
【００６８】
光源基板２０の光源２１は、反射シート３０の背面から開口３２を貫通して反射シート３０の前面に露出する（図７、図９参照）。光源基板２０のドライバ素子２３は、隔壁３１内の空間（隔壁３１により反射シート３０の背面と光源基板２０の前面との間に形成される空間）に格納される（図８参照）。
【００６９】
図７〜図９には図示していないが、光源基板２０は、ビス孔２５（図４参照）を通ってベースプレート１０に取り付けられるビスによって、ベースプレート１０に固定されている。そして、そのビスの頭部およびドライバ素子２２等も、隔壁３１内に格納される。
【００７０】
また、支持部材１００は、軸部１０５の、壁部１１０よりも前面側（表示パネル７０側、図７ではＺ軸方向プラス側）の部分が、フラッタ４０の特定の孔４１を貫通している（図８、図９参照）。支持部材１００は、フラッタ４０に形成されている特定の孔４１が支持部材１００の上部の切り欠きに嵌め込まれることにより、切り欠きに設けられた支持面１４０によってフラッタ４０を支持する。図９に示すように、支持部材１００の支持面１４０は、フラッタ４０が光源２１に対して第１所定間隔Ｄ１より近づくことを規制する。
【００７１】
このようにして、ベースプレート１０、光源基板２０、反射シート３０、およびフラッタ４０は、支持部材１００を用いて互いに結合されて、１つの構造体が構成される。そして、図２に示すように、その構造体の前面（表示パネル７０側）に、さらに、各種の光学シート５０が配置され、光学シート５０の前面に表示パネル７０が配置されて、映像表示装置１が構成される。映像表示装置１では、光源基板２０の光源２１から出射され、フラッタ４０および複数の光学シート５０を透過して均一性が向上した光が、表示パネル７０を背面から照明する。そして、表示パネル７０を背面から照明する光は、映像に応じて領域７１毎に明るさが調整（調光）されているので、表示パネル７０にはコントラストが精度良く高められた映像が表示される。
【００７２】
なお、図９に示すように、支持部材１００の前面側（表示パネル７０側、図７ではＺ軸方向プラス側）の端部１５０は、光学シート５０が光源２１に第２所定間隔Ｄ２より近づくことを規制する。
【００７３】
次に、反射シート３０とフラッタ４０との位置関係について説明する。
【００７４】
図１０は、実施の形態１における映像表示装置１の端部付近の構造の一例を模式的に示す断面図である。
【００７５】
図１０に示すように、反射シート３０は、前面側（Ｚ軸方向プラス側）から見たときに、フラッタ４０の外周縁４２よりも外側に延設されている。具体的には、反射シート３０は、Ｘ軸方向プラス側の端部に、光源２１が発する光を反射する部分である外周部３７を有する。外周部３７は、隔壁３１のさらに外側（Ｘ軸方向プラス側）に形成されている。外周部３７は、Ｘ軸方向プラス側の端部に設けられた隔壁３１（図１０に示す隔壁３１）よりも前面側（Ｚ軸方向プラス側）、および、外側（Ｘ軸方向プラス側）に突出している。
【００７６】
外周部３７は、隔壁３１の傾斜面３１ｃ（図７参照）よりも、Ｘ−Ｙ平面に対して急峻な角度で傾斜している傾斜面を有する。なお、外周部３７は、傾斜していなくてもよく、Ｚ軸方向に平行な面を有していてもよい。
【００７７】
また、反射シート３０は、外周部３７の隔壁３１側とは反対側の端部からＸ軸方向プラス側に向かって拡がる平面部３８を有していてもよい。平面部３８は、光源２１が発する光を反射しない部分である。平面部３８は、光学シート５０と第２モールドフレーム６２との間に配置される。あるいは、第１モールドフレーム６１と第２モールドフレーム６２とが一体に形成されている構造の場合は、光学シート５０とベースプレート１０との間に平面部３８が配置されてもよい（図示せず）。すなわち、平面部３８は、反射シート３０におけるモールドフレーム６０（またはベースプレート１０）に支持されている部分である。
【００７８】
このように、反射シート３０は、光源２１が発する光を反射する部分が、前面側（Ｚ軸方向プラス側）から見たときに、フラッタ４０の外周縁４２よりも外側に延設されている。なお、図１０に示す例では、反射シート３０の光学シート５０に接している平面部３８を除く部分は、映像表示装置１のＸ軸方向プラス側の端部において、フラッタ４０の外周縁４２よりも、間隔ｄ１だけＸ軸方向プラス側に延設されている。
【００７９】
また、反射シート３０の外周部３７は、フラッタ４０の面方向（Ｘ−Ｙ平面）に交差する方向に形成され、フラッタ４０の延長線上に配置されている。反射シート３０の外周部３７は、フラッタ４０の面方向（Ｘ−Ｙ平面）においてフラッタ４０と対向して配置されている。
【００８０】
また、反射シート３０の外周部３７は、フラッタ４０より前面側（Ｚ軸方向プラス側）に配置されている。図１０に示す例では、反射シート３０の外周部３７は、フラッタ４０より間隔ｄ２だけＺ軸方向プラス側に配置されている。
【００８１】
また、フラッタ４０の外周縁４２は、前面側（Ｚ軸方向プラス側）から見たときに、表示パネル７０の有効領域の内側に配置される。また、反射シート３０の外周部３７は、前面側から見たときに、表示パネル７０の有効領域の外側に配置されることが好ましく、例えば、表示パネル７０の有効領域の端部より約１．２ｍｍ外側に配置されることがより好ましい。
【００８２】
なお、図１０では、反射シート３０のＸ軸方向プラス側の端部について説明したが、反射シート３０は、Ｘ軸方向マイナス側の端部、Ｙ軸方向プラス側の端部、およびＹ軸方向マイナス側の端部においても、図１０に示すＸ軸方向プラス側の端部と実質的に同じ構成を有する。重複するので、それらの説明は省略する。
【００８３】
［１−２．効果等］
以上のように、本実施の形態において、映像表示装置は、入力される映像信号に基づいて映像を表示する表示パネルと、前面側の主面に複数の光源を有し、表示パネルの背面側に向けて複数の光源が発する光を照射する光源基板と、光源基板の主面上に設けられ、複数の光源のうち互いに隣り合う２つの光源の間を仕切る中空の隔壁が形成された反射シートと、表示パネルと光源基板との間に設けられ、光源基板から照射される光の輝度分布を均一化する板状の光学部材と、を備える。反射シートは、前面側から見たときに、光学部材の外周縁よりも外側に延設される。
【００８４】
なお、映像表示装置１は映像表示装置の一例である。表示パネル７０は表示パネルの一例である。光源２１は光源の一例である。光源基板２０は光源基板の一例である。隔壁３１は隔壁の一例である。反射シート３０は反射シートの一例である。フラッタ４０は光学部材の一例である。外周縁４２は光学部材の外周縁の一例である。
【００８５】
例えば、実施の形態１に示した例では、映像表示装置１は、入力される映像信号に基づいて映像を表示する表示パネル７０と、前面側の主面に複数の光源２１を有し、表示パネル７０の背面側に向けて複数の光源２１が発する光を照射する光源基板２０と、光源基板２０の主面上に設けられ、複数の光源２１のうち互いに隣り合う２つの光源２１の間を仕切る中空の隔壁３１が形成された反射シート３０と、表示パネル７０と光源基板２０との間に設けられ、光源基板２０から照射される光の輝度分布を均一化するフラッタ４０と、を備える。反射シート３０は、前面側（Ｚ軸方向プラス側）から見たときに、フラッタ４０の外周縁４２よりも外側に延設される。
【００８６】
映像表示装置において、反射シートの外周部は、光学部材に交差する方向に沿って形成され、光学部材の延長線上に配置されてもよい。
【００８７】
映像表示装置において、反射シートの外周部は、光学部材よりも前面側に配置されてもよい。
【００８８】
映像表示装置において、光学部材の外周縁は、前面側から見たときに、表示パネルの有効領域の内側に配置されてもよい。反射シートの外周部は、前面側から見たときに、表示パネルの有効領域の外側に配置されてもよい。
【００８９】
以上のように構成された映像表示装置１では、前面側（Ｚ軸方向プラス）から見たときに、反射シート３０がフラッタ４０の外周縁４２よりも外側に延設されるように反射シート３０が配置される。フラッタの外側の領域において、光源が発した光を反射しない構成の映像表示装置では、表示パネルの有効領域の端部において、輝度低下や輝度むらが生じる可能性がある。しかし、映像表示装置１では、反射シート３０は、フラッタ４０の外側の領域においても、光源２１が発した光を反射できる。これにより、表示パネル７０の有効領域の端部であっても、輝度低下や輝度むらを低減できる。すなわち、本実施の形態に示す映像表示装置１によれば、比較的簡単な構成で、表示パネル７０の有効領域の端部における輝度低下や輝度むらを低減できる。
【００９０】
また、映像表示装置１において、反射シート３０の外周部３７は、フラッタ４０に交差する方向に沿って形成され、フラッタ４０の延長線上に配置されている。このため、映像表示装置１では、フラッタ４０と反射シート３０との間に隙間（間隔ｄ１）を設けた状態で、フラッタ４０の端部と反射シート３０の外周部３７とを対向して配置できる。光源２１から発せられ、この隙間を通ってきた光の一部は、外周部３７によって、表示パネル７０側や表示パネル７０の有効領域の中央側に向けて反射される。すなわち、反射シート３０は、輝度低下しやすい端部側（表示パネル７０の有効領域の端部側）において、光源２１が発した光の一部を、表示パネル７０側や表示パネル７０の有効領域の中央側に向けて反射できる。このため、映像表示装置１では、表示パネル７０の有効領域の端部であっても、比較的簡単な構成で、効果的に輝度低下や輝度むらを低減できる。
【００９１】
また、映像表示装置１において、反射シート３０の外周部３７は、フラッタ４０よりも前面側に配置されている。したがって、反射シート３０は、フラッタ４０の前面側においても、光源２１が発した光の一部を、表示パネル７０側や表示パネル７０の有効領域の中央側に向けて反射できる。このため、映像表示装置１では、表示パネル７０の有効領域の端部であっても、比較的簡単な構成で、効果的に輝度低下や輝度むらを低減できる。
【００９２】
また、映像表示装置１において、フラッタ４０の外周縁４２は、前面側から見たときに、表示パネル７０の有効領域の内側に配置されており、反射シート３０の外周部３７は、前面側から見たときに、表示パネル７０の有効領域の外側に配置されている。このため、映像表示装置１では、表示パネル７０の有効領域の端部をまたぐようにして、フラッタ４０と反射シート３０との間の隙間（間隔ｄ１）を設けることができる。これにより、映像表示装置１では、反射シート３０は、光源２１が発した光の一部を、表示パネル７０の有効領域の端部より外側から、有効領域の中央側に向けて反射できる。このため、映像表示装置１では、表示パネル７０の有効領域の端部であっても、比較的簡単な構成で、効果的に輝度低下や輝度むらを低減できる。
【００９３】
また、映像表示装置１では、フラッタ４０の外周縁４２と反射シート３０との間に、フラッタ４０の外周縁４２の全体に亘って隙間（間隔ｄ１）が形成されているため、フラッタ４０と反射シート３０とが互いに接触することが防止される。このため、例えば映像表示装置１がスピーカを有している場合に、スピーカから出力された音による振動で、フラッタ４０および反射シート３０の少なくとも一方が振動したとしても、フラッタ４０および反射シート３０が互いに触触して異音（ノイズ）が発生することが抑制される。
【００９４】
（他の実施の形態）
以上のように、本出願において開示する技術の例示として、実施の形態１を説明した。そのために、添付図面および詳細な説明を提供した。
【００９５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９６】
また、上述の実施の形態は、本開示における技術を例示するためのものであるから、特許請求の範囲またはその均等の範囲において種々の変更、置き換え、付加、省略などを行うことができる。また、上記実施の形態１で説明した各構成要素を組み合わせて、新たな実施の形態とすることも可能である。
【００９７】
なお、上述の説明における各部材の配置位置や形状等において、目的とする効果を得られる範囲での誤差やばらつきは許容される。また、上述の説明や特許請求の範囲における「輝度分布を均一化する」とは、厳密な意味での均一化を意味するではなく、目的とする効果を得られる範囲での誤差やばらつきは許容され、輝度分布の均一性を向上することもその中に含まれる。
【産業上の利用可能性】
【００９８】
本開示は、映像表示装置に適用可能である。具体的には、テレビジョン受像機、映像録画再生装置、またはコンピュータディスプレイ装置等に、本開示は適用可能である。
【符号の説明】
【００９９】
１    映像表示装置
１ａ    筐体
１０    ベースプレート
１１，１２    貫通孔
２０    光源基板
２１    光源
２２，２３    ドライバ素子
２４    開口
２５    ビス孔
３０    反射シート
３１    隔壁
３１ａ    交点部分
３１ｂ    直線部分
３１ｃ    傾斜面
３２，３３    開口
３５    凹部
３６    接着テープ
３７    外周部
４０    フラッタ
４１    孔
４２    外周縁
５０    光学シート
６０    モールドフレーム
６１    第１モールドフレーム
６２    第２モールドフレーム
６３，６４    クッション部材
７０    表示パネル
７１    領域
８０    ベゼル
９１    接続端子基板
９２    信号処理基板
９３    電源基板
１００    支持部材
１０５    軸部
１１０    壁部
１２０    係合部
１３０    板部
１４０    支持面
１５０    端部
Ｄ１    第１所定間隔
Ｄ２    第２所定間隔
ｄ１，ｄ２    間隔
【図１】
2017038084.tif 000003
【図２】
2017038084.tif 000004
【図３】
2017038084.tif 000005
【図４】
2017038084.tif 000006
【図５】
2017038084.tif 000007
【図６】
2017038084.tif 000008
【図７】
2017038084.tif 000009
【図８】
2017038084.tif 000010
【図９】
2017038084.tif 000011
【図１０】
2017038084.tif 000012
【手続補正書】
【提出日】平成30年2月21日(2018.2.21)
【手続補正１】
【補正対象書類名】明細書
【補正対象項目名】全文
【補正方法】変更
【補正の内容】
【発明の詳細な説明】
【技術分野】
【０００１】
本開示は、バックライトを有する映像表示装置に関する。
【背景技術】
【０００２】
例えば液晶表示装置等の、バックライトを有する映像表示装置において、画質を向上させるための様々な技術が継続的に開発されている。そのような技術の一例に、例えば、直下型のバックライトを用いたローカルディミング（Ｌｏｃａｌ  Ｄｉｍｍｉｎｇ）と呼ばれる技術がある。
【０００３】
特許文献１は、ローカルディミングに関する技術を開示する。
【０００４】
特許文献２は、直下型のバックライトを有する映像表示装置において、光源が発する光を拡散するレンズを複数の光源のそれぞれに配置することで、複数の光源が発する光の輝度分布を均一化する技術を開示する。
【先行技術文献】
【特許文献】
【０００５】
【特許文献１】特開２０１４−４１８３０号公報
【特許文献２】特開２０１４−６７６７９号公報
【発明の概要】
【０００６】
しかしながら、特許文献１および特許文献２に開示された技術では、表示パネルの映像表示領域（映像の表示が有効な領域。以下、単に「有効領域」ともいう）の端部において、輝度低下や輝度むらが発生するおそれがある。
【０００７】
本開示は、表示パネルの有効領域の端部における輝度低下や輝度むらを低減できる映像表示装置を提供する。
【０００８】
本開示の一態様における映像表示装置は、入力される映像信号に基づいて映像を表示する表示パネルと、前面側の主面に複数の光源を有し、表示パネルの背面側に向けて複数の光源が発する光を照射する光源基板と、光源基板の主面上に設けられ、複数の光源のうち互いに隣り合う２つの光源の間を仕切る中空の隔壁が形成された反射シートと、表示パネルと光源基板との間に設けられ、光源基板から照射される光の輝度分布を均一化する板状の光学部材と、を備える。反射シートは、前面側から見たときに、光学部材の外周縁よりも外側に延設される。
【０００９】
本開示における映像表示装置は、表示パネルの有効領域の端部における輝度低下や輝度むらを低減できる。
【図面の簡単な説明】
【００１０】
【図１】図１は、実施の形態１における映像表示装置の外観の一例を模式的に示す図である。
【図２】図２は、実施の形態１における映像表示装置の構成の一例を模式的に示す分解斜視図である。
【図３】図３は、実施の形態１における映像表示装置が備える光源基板が取り付けられたベースプレートの一例を模式的に示す平面図である。
【図４】図４は、実施の形態１における映像表示装置が備える光源基板の構成の一例を模式的に示す平面図である。
【図５】図５は、実施の形態１における映像表示装置が備える反射シートの形状の一例を模式的に示す斜視図である。
【図６】図６は、実施の形態１における映像表示装置が備えるフラッタの形状の一例を模式的に示す平面図である。
【図７】図７は、実施の形態１の映像表示装置における光源基板への反射シートの取り付け例を模式的に示す斜視図である。
【図８】図８は、実施の形態１の映像表示装置における各部材の配置の一例を模式的に示す断面図である。
【図９】図９は、実施の形態１の映像表示装置における各部材の配置の一例を模式的に示す断面図である。
【図１０】図１０は、実施の形態１における映像表示装置の端部付近の構造の一例を模式的に示す断面図である。
【発明を実施するための形態】
【００１１】
（本開示の基礎となった知見）
本願発明者は、従来の映像表示装置に以下の問題が生じることを見出した。
【００１２】
例えば、特許文献２に開示された技術を用いた映像表示装置では、光源が発する光をレンズによって拡散するため、光源の数が相対的に少ない場合、表示パネルの有効領域の端部は、光源からの距離が相対的に遠くなり、輝度が低下しやすい。この問題の解決策として、光源の数を増加させることが考えられる。これにより、表示パネルの有効領域の端部における輝度を確保することができる。
【００１３】
しかしながら、特許文献２に開示された技術を用いた映像表示装置では、レンズを複数の光源のそれぞれに対して配置するため、光源の数に応じてレンズの数も増える。さらに、各レンズを、光源に対して適切な位置に精度よく配置する必要がある。そのため、映像表示装置の製造工程においては、光源の数を増加させた分だけ、レンズを配置する工程が増えるという問題がある。このように、レンズを用いて光を拡散する方式を用いた映像表示装置では、表示パネルの有効領域の端部の輝度低下や輝度むらを低減することは、レンズの増加や製造工程の増加を伴うため、容易ではない。
【００１４】
本願発明者らは、複数の光源のそれぞれにレンズを配置する代わりに、複数の光源が発する光の輝度分布を均一化するための光学部材（フラッタ）を配置する構成を検討した。フラッタは、配置の際に要する精度が、レンズを配置する際に求められる精度ほど高くはなく、また、フラッタ自体が１つの光学部材であるため、複数のレンズを配置する場合と比較して、配置が容易である。そして、１つの部材としてフラッタを配置するだけで、複数の光源から発せられる光の輝度分布を均一化（輝度分布の均一性を向上）できる。したがって、光の輝度分布の均一化のためにフラッタを用いた映像表示装置では、光源が発する光をレンズによって拡散する映像表示装置と比較して、光源の数を増加させることが容易にできる。すなわち、フラッタを用いた映像表示装置では、表示パネルの有効領域の端部近辺まで光源を配置することが容易にでき、表示パネルの有効領域の端部における輝度を向上することが容易にできる。フラッタを用いた映像表示装置は、光源の光を前方（表示パネル側）に向けて反射するための反射シートを備えてもよい。この場合、フラッタは、反射シートよりも前方（表示パネル側）に配置される。
【００１５】
しかしながら、フラッタを用いた映像表示装置において、表示パネルの有効領域の端部近辺まで光源を配置した場合、反射シートの端部により反射された光とフラッタの端部との位置関係が十分に考慮されていなければ、表示パネルの有効領域の端部において、輝度低下や輝度むらが生じるおそれがある。そのため、フラッタを用いた映像表示装置においては、反射シートの端部と、フラッタの端部との位置関係を十分に考慮する必要がある。
【００１６】
本開示の一態様における映像表示装置は、入力される映像信号に基づいて映像を表示する表示パネルと、前面側の主面に複数の光源を有し、表示パネルの背面側に向けて複数の光源が発する光を照射する光源基板と、光源基板の主面上に設けられ、複数の光源のうち互いに隣り合う２つの光源の間を仕切る中空の隔壁が形成された反射シートと、表示パネルと光源基板との間に設けられ、光源基板から照射される光の輝度分布を均一化する板状の光学部材と、を備える。反射シートは、前面側から見たときに、光学部材の外周縁よりも外側に延設される。
【００１７】
この構成によれば、前面側から見たときに、反射シートが光学部材の外周縁よりも外側に延設されるように反射シートが配置される。そのため、反射シートは、光学部材の外側の領域においても、光源が発した光を反射できる。これにより、表示パネルの有効領域の端部であっても、輝度低下や輝度むらを低減できる。すなわち、この構成によれば、比較的簡単な構成で、表示パネルの有効領域の端部における輝度低下や輝度むらを低減できる。
【００１８】
例えば、反射シートの外周部は、光学部材に交差する方向に沿って形成されてもよく、光学部材の延長線上に配置されてもよい。
【００１９】
この構成によれば、光学部材と反射シートとの間に隙間を設けた状態で、光学部材の端部と反射シートとを対向して配置することができる。したがって、反射シートは、輝度低下しやすい端部側（表示パネルの有効領域の端部側）において、光源が発した光の一部を表示パネルの有効領域の中央側に向けて反射できる。これにより、表示パネルの有効領域の端部であっても、比較的簡単な構成で、効果的に輝度低下や輝度むらを低減できる。
【００２０】
例えば、反射シートの外周部は、光学部材よりも前面側に配置されてもよい。
【００２１】
この構成によれば、反射シートは、光学部材の前面側においても、光源が発した光の一部を表示パネルの有効領域の中央側に向けて反射できる。このため、表示パネルの有効領域の端部であっても、比較的簡単な構成で、効果的に輝度低下や輝度むらを低減できる。
【００２２】
例えば、光学部材の外周縁は、前面側から見たときに、表示パネルの有効領域の内側に配置されてもよい。反射シートの外周部は、前面側から見たときに、表示パネルの有効領域の外側に配置されてもよい。
【００２３】
この構成によれば、表示パネルの有効領域の端部をまたぐようにして、光学部材と反射シートとの間の隙間を設けることができる。これにより、反射シートは、光源が発した光の一部を、表示パネルの有効領域の端部より外側から、有効領域の中央側に向けて反射できる。このため、表示パネルの有効領域の端部であっても、比較的簡単な構成で、効果的に輝度低下や輝度むらを低減できる。
【００２４】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００２５】
なお、以下で説明する実施の形態は、いずれも本開示の一具体例を示すものである。以下の実施の形態で示される数値、形状、材料、構成要素、構成要素の配置位置および接続形態等は、一例であり、本開示を限定する主旨ではない。また、以下の実施の形態における構成要素のうち、最上位概念を示す独立請求項に記載されていない構成要素については、任意の構成要素として説明される。
【００２６】
なお、添付図面および以下の説明は、当業者が本開示を十分に理解するために提供されるのであって、これらにより特許請求の範囲に記載の主題を限定することは意図されていない。
【００２７】
また、各図は、模式図であり、必ずしも厳密に図示されたものではない。また、各図において、実質的に同じ構成要素については同じ符号を付し、説明を省略または簡略化する場合がある。
【００２８】
（実施の形態１）
以下、図１〜図１０を参照しながら実施の形態１における映像表示装置１について説明する。なお、本実施の形態では、図面にＸ軸、Ｙ軸、Ｚ軸の３軸を示し、表示パネルの長辺に平行な方向（図１の横方向）の軸をＸ軸、表示パネルの短辺に平行な方向（図１の縦方向）の軸をＹ軸、Ｘ軸Ｙ軸の双方に直交する方向（映像表示装置１の前後方向に平行な方向）の軸をＺ軸とする。しかし、これらの軸は便宜的に示したものに過ぎず、何ら本開示を限定するものではない。
【００２９】
［１−１．構成］
実施の形態１における映像表示装置１は、表示パネルとしての液晶表示パネルと、その表示パネルを背面から照明するための光源基板と、を備える液晶表示装置である。映像表示装置１は、映像表示装置の一例である。光源基板には、各々が表示パネルの互いに異なる領域に対応して設けられた複数の光源と、複数の光源の各々を、制御信号によって表される明るさ（映像の対応領域内の明るさ）に応じた輝度で発光するように駆動（調光）するドライバ素子と、が搭載される。なお、映像の対応領域内の明るさとは、１つの光源が照明する表示パネルの領域（すなわち、その光源に対応する領域）における映像の明るさ（映像の部分的な明るさ）のことである。
【００３０】
図１は、実施の形態１における映像表示装置１の外観の一例を模式的に示す図である。
【００３１】
図１に示すように、映像表示装置１は、表示パネル７０および光源基板（図１には示さず）が、前面が開放された筐体１ａ内に格納された、一般的なフラットパネルディスプレイの外観を有する。なお、本実施の形態では、映像表示装置１および各構成部材におけるユーザに正対する面（図１に示されている側の面）を前面と称し、前面の反対側の面（裏面）を背面と称する。
【００３２】
図２は、実施の形態１における映像表示装置１の構成の一例を模式的に示す分解斜視図である。
【００３３】
図３は、実施の形態１における映像表示装置１が備える光源基板２０が取り付けられたベースプレート１０の一例を模式的に示す平面図である。なお、図３には、ベースプレート１０を前面側から見た平面図を示す。
【００３４】
図２に示すように、映像表示装置１は、ベースプレート１０、複数の光源基板２０、反射シート３０、フラッタ４０、各種の光学シート５０、モールドフレーム６０、表示パネル７０、ベゼル８０、接続端子基板９１、信号処理基板９２、および電源基板９３、を備える。これらの部材が筐体１ａ（図１参照）に格納されて、映像表示装置１は構成されている。なお、映像表示装置１は、これらの部材の他に、支持部材、締結部材、および補強部材、等を有するが、それらの部材の図示は省略している。これらは、必要に応じて後述する。
【００３５】
ベースプレート１０は、光源基板２０、接続端子基板９１、信号処理基板９２、および電源基板９３を取り付ける基台としての支持基板である。ベースプレート１０は、例えば、板金で形成されるが、他の材料で形成されてもよい。ベースプレート１０には、支持部材を取り付けるための貫通孔、ねじ穴、光源基板２０同士をベースプレート１０の背面側を通るケーブルで接続するための開口、等が設けられている。
【００３６】
光源基板２０は、表示パネル７０の背面側に設けられ、表示パネル７０の背面側を照明するバックライトモジュールである。光源基板２０は、前面側の主面に複数の光源を有し、表示パネル７０の背面側に複数の光源が発する光を照射する。また、光源基板２０は、前面側の主面に配置され、複数の光源の各々を駆動するドライバ素子を有する。複数の光源のそれぞれは、例えば、発光ダイオード（ＬＥＤ：Ｌｉｇｈｔ  Ｅｍｉｔｔｉｎｇ  Ｄｉｏｄｅ）である。すなわち、複数の光源のそれぞれは、点光源である。ベースプレート１０の前面（表示パネル７０側の面）には、図３に示すように、複数の同形の光源基板２０がマトリクス状に配置された状態で取り付けられている。これら複数の光源基板２０により、表示パネル７０を照明する直下型のバックライトが構成されている。光源基板２０の詳細は後述する。
【００３７】
反射シート３０は、光源基板２０の複数の光源が設けられている主面（表示パネル７０側の面）上に設置され、開口を有し、その開口を貫通した光源（図４に示す光源基板２０の光源２１）から出射される光の一部を前面（表示パネル７０側）に向けて反射するシートである。反射シート３０は、例えば、白色の合成樹脂で形成されるが、白色の他の材料で形成されてもよい。反射シート３０には、複数の光源のうち互いに隣り合う２つの光源の間を仕切る、前方に向かって隆起した中空の隔壁（図５参照）が形成されている。したがって、光源の周囲は隔壁によって囲まれ、各光源は、当該光源の周りの当該隔壁で囲まれた領域を照明する。反射シート３０の詳細は後述する。
【００３８】
フラッタ４０は、光源基板２０から照射される光の輝度分布を均一化（輝度分布の均一性を向上）するために、反射シート３０の前方（表示パネル７０側）に設けられたシート状の光学部材である。フラッタ４０は、光源から出射される光を一様に透過するのではなく、光源によって照明される領域毎に光の透過率（以下、単に「透過率」ともいう）の分布を有する。なお、本実施の形態では、透過率が相対的に高い部分と透過率が相対的に低い部分とが分布していることを透過率の分布という。フラッタ４０は、例えば、合成樹脂で構成されるが、他の材料で形成されてもよい。上述したように光源基板２０が備える光源はＬＥＤによる点光源のため、フラッタ４０がない場合、その光源が照明する領域内には輝度差が生じる。フラッタ４０は、その輝度差を相殺するように設定された透過率の分布を、所定の透過率の分布として有する。これにより、フラッタ４０は、光源によって照明される領域内の互いに異なる位置の輝度を、互いに等しい輝度に近づけることができ、当該領域内の輝度の均一性を向上できる。このように、フラッタ４０は、表示パネル７０と光源基板２０との間に設けられ、光源基板２０から照射される光の輝度分布を均一化（輝度分布の均一性を向上）する。フラッタ４０の詳細は後述する。
【００３９】
光学シート５０は、表示パネル７０とフラッタ４０との間に配置され、フラッタ４０以外の各種の光学機能を有するシートである。光学シート５０は、例えば、光を拡散することにより輝度の均一性をさらに向上する拡散板や、光の進路を前面方向に揃えることによりユーザによって視認される輝度を向上するプリズムシート、等を含む。光学シート５０は、例えば、表面に、機能に応じた微細形状が設けられて成形された合成樹脂で構成することができる。なお、光学シート５０は、光源基板２０が備える光源から光学シート５０までの距離が所定の範囲に維持されているときに適切に効果を得られるため、光学シート５０と光源との間隔は適切な範囲に（例えば、第２所定間隔より小さくならないように）維持されることが望ましい。
【００４０】
モールドフレーム６０は、表示パネル７０、光学シート５０、および反射シート３０の外周を背面から支持する支持部材である。モールドフレーム６０は、例えば、合成樹脂で形成されるが、他の材料で形成されてもよい。具体的には、モールドフレーム６０は、表示パネル７０の外周部を背面から支持する第１モールドフレーム６１と、光学シート５０および反射シート３０の外周を背面から支持する第２モールドフレーム６２と、を有する。また、モールドフレーム６０は、表示パネル７０と第１モールドフレーム６１との間に配置されるクッション部材６３と、第１モールドフレーム６１と光学シート５０との間に配置されるクッション部材６４と、を有する（図１０参照）。モールドフレーム６０は、ベースプレート１０に固定されてもよい。また、モールドフレーム６０は、第１モールドフレーム６１と第２モールドフレーム６２とが一体に形成されていてもよい。
【００４１】
表示パネル７０は、複数の画素がマトリクス状に配列されて構成された映像表示用の液晶パネルである。表示パネル７０は、駆動回路（図示せず）に入力される映像信号に基づいて映像を表示する。
【００４２】
ベゼル８０は、表示パネル７０の外周を前面から支持する支持部材である。ベゼル８０は、例えば、金属で形成されるが、合成樹脂で形成されてもよい。
【００４３】
接続端子基板９１は、映像信号を受信するための端子およびインターフェース回路が設けられた回路基板である。信号処理基板９２は、映像信号を処理するための信号処理回路が設けられた回路基板である。信号処理基板９２には、光源基板２０の光源の輝度を制御（調光）するための制御信号を、映像信号に基づいて生成する回路も設けられている。電源基板９３は、映像表示装置１に動作電力（以下、単に「電力」という）を供給するための電源回路が設けられた回路基板である。接続端子基板９１、信号処理基板９２、および電源基板９３は、ベースプレート１０の背面に取り付けられている。
【００４４】
次に、光源基板２０について説明する。
【００４５】
図４は、実施の形態１における映像表示装置１が備える光源基板２０の構成の一例を模式的に示す平面図である。図４の下段に示す図は、図３に示す領域Ａ１の拡大図である。図４には、光源基板２０の前面に配置された各部材の一例を示している。なお、図４の上段には、図４の下段の図において破線で囲った領域の拡大図（部分拡大図）を示す。また、図４の一部には、視覚的にわかりやすくするために、便宜的に、個々の光源２１で照明される表示パネル７０の領域７１に対応する位置を二点鎖線で示している。
【００４６】
図４に示すように、光源基板２０には、複数の光源２１と、複数のドライバ素子２２およびドライバ素子２３と、が搭載されている。
【００４７】
光源２１の各々は、表示パネル７０の互いに異なる領域７１に対応して設けられている。光源２１には高電圧ＬＥＤが用いられる。高電圧ＬＥＤとは、例えば、複数のＬＥＤ素子（すなわち、複数のｐｎ接合）を直列に接続して構成されたＬＥＤである。高電圧ＬＥＤは、単一のＬＥＤ素子（低電圧ＬＥＤ）と比べて、より高い電圧を印加することができる。そして、高電圧ＬＥＤは、より高い電圧を印加することにより、単一のＬＥＤ素子に流れる電流と実質的に同じ電流で、より高い発光輝度を得ることができる。
【００４８】
ドライバ素子２２およびドライバ素子２３は、信号処理基板９２から供給される制御信号に基づき光源２１を駆動する半導体素子である。ドライバ素子２２およびドライバ素子２３には、各光源２１に対応する領域７１における映像の明るさを表す制御信号が、信号処理基板９２から供給される。そして、ドライバ素子２２およびドライバ素子２３は、光源２１の各々を、当該制御信号によって表される明るさに応じた輝度で発光するように駆動（調光）する。ドライバ素子２２は、例えば、酸化物半導体（ＭＯＳ：Ｍｅｔａｌ−Ｏｘｉｄｅ  Ｓｅｍｉｃｏｎｄｕｃｔｏｒ）トランジスタであってもよい。ドライバ素子２３は、例えば、制御信号からドライバ素子２２のゲート信号を生成する半導体集積回路（ＩＣ：Ｉｎｔｅｇｒａｔｅｄ  Ｃｉｒｃｕｉｔ）であってもよい。
【００４９】
光源基板２０には、フラッタ４０を支持する支持部材が貫通する開口２４、および光源基板２０をベースプレート１０にビス止めするためのビス孔２５、が設けられている。また、光源基板２０が取り付けられているベースプレート１０には、開口２４よりも小さい形状を有し、支持部材を立てるための貫通孔１１および貫通孔１２が設けられている。
【００５０】
ベースプレート１０では、貫通孔１１、貫通孔１２およびビス孔（図示せず）を、互いに隣接する領域７１の境界線上に配置している。同様に、光源基板２０では、ドライバ素子２２、ドライバ素子２３、開口２４、およびビス孔２５を、互いに隣接する領域７１の境界線上に配置している。
【００５１】
次に、反射シート３０について説明する。
【００５２】
図５は、実施の形態１における映像表示装置１が備える反射シート３０の形状の一例を模式的に示す斜視図である。図５の一部には、視覚的にわかりやすくするために、領域７１に対応する位置を二点鎖線で示している。
【００５３】
図５に示すように、反射シート３０には、隔壁３１、開口３２、および開口３３が形成されている。
【００５４】
開口３２は、反射シート３０の背面側に配置されている光源基板２０の光源２１に対応する位置に設けられている。光源２１は、反射シート３０の背面から開口３２を貫通して反射シート３０の前面に露出する。
【００５５】
反射シート３０は、光源２１から照射される光を反射するように、白色の合成樹脂で形成されている。そして、反射シート３０は、開口３２を貫通して前面に露出した光源２１から出射される光の一部（背面方向に進行する光、等）を前方（表示パネル７０方向）へ反射する。
【００５６】
反射シート３０に形成された隔壁３１は、前面側（表示パネル７０側、Ｚ軸方向プラス側（図２、図４参照））に向かって突出して形成された中空の部位である。隔壁３１は、互いに隣り合う開口３２（すなわち、互いに隣り合う光源２１）の間を仕切る位置に形成されている。反射シート３０の隔壁３１は、第１方向に沿って形成された部分と第２方向に沿って形成された部分とが交わる交点部分３１ａと、第１方向または第２方向に平行に形成される直線部分３１ｂと、を有する。なお、第１方向は例えばＸ軸方向であり、第２方向は例えばＹ軸方向（図２、図４参照）であるが、本開示は何らその設定に限定されず、それらは互いに逆であってもよい。
【００５７】
また、隔壁３１は、直線部分３１ｂに凹部３５を有する。凹部３５は隔壁３１の一部が前面側に突出しないことで形成される。凹部３５は、開口３２（言い換えれば、光源２１）に対し、第１方向（例えば、Ｘ軸方向）および第２方向（例えば、Ｙ軸方向）の少なくとも一方向における隔壁３１上の位置に形成される。すなわち、凹部３５は、開口３２（光源２１）から第１方向における隔壁３１上の位置と、開口３２（光源２１）から第２方向における隔壁３１上の位置との少なくとも一方に形成される。
【００５８】
また、隔壁３１は、互いに隣接する領域７１の境界線上において最も前面側に向かって突出しており、前面側に向かうにしたがって厚みが薄く（直線部分３１ｂの延伸方向に直交する方向の幅が小さく）なっている。すなわち、隔壁３１は、表示パネル７０の表示面に対して、隔壁３１の厚みが薄くなる方向に傾斜した傾斜面３１ｃ（図７参照）を有する。この傾斜面３１ｃは、光源２１から発せられ隔壁３１に向かって進行する光を、前面側（表示パネル７０側）へ反射する。
【００５９】
反射シート３０の、隔壁３１の凹部３５には、開口３３が形成されている。後述するように、支持部材は、開口３３を貫通する。
【００６０】
次に、フラッタ４０について説明する。
【００６１】
図６は、実施の形態１における映像表示装置１が備えるフラッタ４０の形状の一例を模式的に示す平面図である。図６の一部には、視覚的にわかりやすくするために、領域７１に対応する位置を二点鎖線で示している。
【００６２】
図６に示すように、フラッタ４０は、合成樹脂で形成されたシートに大小様々な大きさの孔４１が設けられて、形成されている。フラッタ４０では、孔４１によって光の透過率を調整している。すなわち、フラッタ４０は、領域７１内に、孔４１の配置（大きさ、位置、数）に応じた透過率の分布を有する。フラッタ４０における透過率の分布は、フラッタ４０がない場合に領域７１内に光源２１により生じる輝度分布（輝度の偏り）を相殺するように設定されている。このように、フラッタ４０は、光源２１により生じる輝度分布を相殺するように設定された所定の透過率の分布を有する。これによりフラッタ４０は、領域７１内の輝度の均一性を向上することができる。なお、フラッタ４０の透過率の分布は、フラッタ４０と光源２１との間隔が所定の距離（以下、第１所定間隔という）に維持されているときに適切に効果を得られるように設定されている。そのため、フラッタ４０による効果を適切に得るためには、フラッタ４０と光源２１との間隔は第１所定間隔に維持されることが望ましい。
【００６３】
次に、支持部材１００による反射シート３０の光源基板２０への取り付けについて説明する。
【００６４】
図７は、実施の形態１の映像表示装置１における光源基板２０への反射シート３０の取り付け例を模式的に示す斜視図である。
【００６５】
図８、図９は、実施の形態１の映像表示装置１における各部材の配置の一例を模式的に示す断面図である。図８には、図７のＶＩＩＩ−ＶＩＩＩ線断面図を示し、図９には、図７のＩＸ−ＩＸ線断面図を示す。なお、図７ではフラッタ４０および光学シート５０の図示を省略しているが、図８、図９にはフラッタ４０および光学シート５０を示している。
【００６６】
図７〜図９に示すように、支持部材１００は、隔壁３１の凹部３５の形状に対応する形状の壁部１１０を有する。また、支持部材１００は、軸部１０５と、係合部１２０と、板部１３０と、をさらに有する。軸部１０５は、ベースプレート１０の貫通孔１１と、光源基板２０の開口２４と、反射シート３０の開口３３と、フラッタ４０の孔４１と、を貫通する。支持部材１００は、ベースプレート１０の貫通孔１１に取り付けられた状態で、係合部１２０と板部１３０との間に、ベースプレート１０、光源基板２０および反射シート３０を挟み込む。これにより、反射シート３０は光源基板２０およびベースプレート１０に取り付けられている。支持部材１００は、例えば、白色の合成樹脂で形成されるが、他の材料で形成されてもよい。
【００６７】
また、反射シート３０は、光源２１を露出させる開口３２の周囲の平坦部分において、接着テープ３６で光源基板２０に貼り付けられている（図７、図９参照）。このようにして、反射シート３０は、光源基板２０に固定される。
【００６８】
光源基板２０の光源２１は、反射シート３０の背面から開口３２を貫通して反射シート３０の前面に露出する（図７、図９参照）。光源基板２０のドライバ素子２３は、隔壁３１内の空間（隔壁３１により反射シート３０の背面と光源基板２０の前面との間に形成される空間）に格納される（図８参照）。
【００６９】
図７〜図９には図示していないが、光源基板２０は、ビス孔２５（図４参照）を通ってベースプレート１０に取り付けられるビスによって、ベースプレート１０に固定されている。そして、そのビスの頭部およびドライバ素子２２等も、隔壁３１内に格納される。
【００７０】
また、支持部材１００は、軸部１０５の、壁部１１０よりも前面側（表示パネル７０側、図７ではＺ軸方向プラス側）の部分が、フラッタ４０の特定の孔４１を貫通している（図８、図９参照）。支持部材１００は、フラッタ４０に形成されている特定の孔４１が支持部材１００の上部の切り欠きに嵌め込まれることにより、切り欠きに設けられた支持面１４０によってフラッタ４０を支持する。図９に示すように、支持部材１００の支持面１４０は、フラッタ４０が光源２１に対して第１所定間隔Ｄ１より近づくことを規制する。
【００７１】
このようにして、ベースプレート１０、光源基板２０、反射シート３０、およびフラッタ４０は、支持部材１００を用いて互いに結合されて、１つの構造体が構成される。そして、図２に示すように、その構造体の前面（表示パネル７０側）に、さらに、各種の光学シート５０が配置され、光学シート５０の前面に表示パネル７０が配置されて、映像表示装置１が構成される。映像表示装置１では、光源基板２０の光源２１から出射され、フラッタ４０および複数の光学シート５０を透過して均一性が向上した光が、表示パネル７０を背面から照明する。そして、表示パネル７０を背面から照明する光は、映像に応じて領域７１毎に明るさが調整（調光）されているので、表示パネル７０にはコントラストが精度良く高められた映像が表示される。
【００７２】
なお、図９に示すように、支持部材１００の前面側（表示パネル７０側、図７ではＺ軸方向プラス側）の端部１５０は、光学シート５０が光源２１に第２所定間隔Ｄ２より近づくことを規制する。
【００７３】
次に、反射シート３０とフラッタ４０との位置関係について説明する。
【００７４】
図１０は、実施の形態１における映像表示装置１の端部付近の構造の一例を模式的に示す断面図である。
【００７５】
図１０に示すように、反射シート３０は、前面側（Ｚ軸方向プラス側）から見たときに、フラッタ４０の外周縁４２よりも外側に延設されている。具体的には、反射シート３０は、Ｘ軸方向プラス側の端部に、光源２１が発する光を反射する部分である外周部３７を有する。外周部３７は、隔壁３１のさらに外側（Ｘ軸方向プラス側）に形成されている。外周部３７は、Ｘ軸方向プラス側の端部に設けられた隔壁３１（図１０に示す隔壁３１）よりも前面側（Ｚ軸方向プラス側）、および、外側（Ｘ軸方向プラス側）に突出している。
【００７６】
外周部３７は、隔壁３１の傾斜面３１ｃ（図７参照）よりも、Ｘ−Ｙ平面に対して急峻な角度で傾斜している傾斜面を有する。なお、外周部３７は、傾斜していなくてもよく、Ｚ軸方向に平行な面を有していてもよい。
【００７７】
また、反射シート３０は、外周部３７の隔壁３１側とは反対側の端部からＸ軸方向プラス側に向かって拡がる平面部３８を有していてもよい。平面部３８は、光源２１が発する光を反射しない部分である。平面部３８は、光学シート５０と第２モールドフレーム６２との間に配置される。あるいは、第１モールドフレーム６１と第２モールドフレーム６２とが一体に形成されている構造の場合は、光学シート５０とベースプレート１０との間に平面部３８が配置されてもよい（図示せず）。すなわち、平面部３８は、反射シート３０におけるモールドフレーム６０（またはベースプレート１０）に支持されている部分である。
【００７８】
このように、反射シート３０は、光源２１が発する光を反射する部分が、前面側（Ｚ軸方向プラス側）から見たときに、フラッタ４０の外周縁４２よりも外側に延設されている。なお、図１０に示す例では、反射シート３０の光学シート５０に接している平面部３８を除く部分は、映像表示装置１のＸ軸方向プラス側の端部において、フラッタ４０の外周縁４２よりも、間隔ｄ１だけＸ軸方向プラス側に延設されている。
【００７９】
また、反射シート３０の外周部３７は、フラッタ４０の面方向（Ｘ−Ｙ平面）に交差する方向に形成され、フラッタ４０の延長線上に配置されている。反射シート３０の外周部３７は、フラッタ４０の面方向（Ｘ−Ｙ平面）においてフラッタ４０と対向して配置されている。
【００８０】
また、反射シート３０の外周部３７は、フラッタ４０より前面側（Ｚ軸方向プラス側）に配置されている。図１０に示す例では、反射シート３０の外周部３７は、フラッタ４０より間隔ｄ２だけＺ軸方向プラス側に配置されている。
【００８１】
また、フラッタ４０の外周縁４２は、前面側（Ｚ軸方向プラス側）から見たときに、表示パネル７０の有効領域の内側に配置される。また、反射シート３０の外周部３７は、前面側から見たときに、表示パネル７０の有効領域の外側に配置されることが好ましく、例えば、表示パネル７０の有効領域の端部より約１．２ｍｍ外側に配置されることがより好ましい。
【００８２】
なお、図１０では、反射シート３０のＸ軸方向プラス側の端部について説明したが、反射シート３０は、Ｘ軸方向マイナス側の端部、Ｙ軸方向プラス側の端部、およびＹ軸方向マイナス側の端部においても、図１０に示すＸ軸方向プラス側の端部と実質的に同じ構成を有する。重複するので、それらの説明は省略する。
【００８３】
［１−２．効果等］
以上のように、本実施の形態において、映像表示装置は、入力される映像信号に基づいて映像を表示する表示パネルと、前面側の主面に複数の光源を有し、表示パネルの背面側に向けて複数の光源が発する光を照射する光源基板と、光源基板の主面上に設けられ、複数の光源のうち互いに隣り合う２つの光源の間を仕切る中空の隔壁が形成された反射シートと、表示パネルと光源基板との間に設けられ、光源基板から照射される光の輝度分布を均一化する板状の光学部材と、を備える。反射シートは、前面側から見たときに、光学部材の外周縁よりも外側に延設される。
【００８４】
なお、映像表示装置１は映像表示装置の一例である。表示パネル７０は表示パネルの一例である。光源２１は光源の一例である。光源基板２０は光源基板の一例である。隔壁３１は隔壁の一例である。反射シート３０は反射シートの一例である。フラッタ４０は光学部材の一例である。外周縁４２は光学部材の外周縁の一例である。
【００８５】
例えば、実施の形態１に示した例では、映像表示装置１は、入力される映像信号に基づいて映像を表示する表示パネル７０と、前面側の主面に複数の光源２１を有し、表示パネル７０の背面側に向けて複数の光源２１が発する光を照射する光源基板２０と、光源基板２０の主面上に設けられ、複数の光源２１のうち互いに隣り合う２つの光源２１の間を仕切る中空の隔壁３１が形成された反射シート３０と、表示パネル７０と光源基板２０との間に設けられ、光源基板２０から照射される光の輝度分布を均一化するフラッタ４０と、を備える。反射シート３０は、前面側（Ｚ軸方向プラス側）から見たときに、フラッタ４０の外周縁４２よりも外側に延設される。
【００８６】
映像表示装置において、反射シートの外周部は、光学部材に交差する方向に沿って形成され、光学部材の延長線上に配置されてもよい。
【００８７】
映像表示装置において、反射シートの外周部は、光学部材よりも前面側に配置されてもよい。
【００８８】
映像表示装置において、光学部材の外周縁は、前面側から見たときに、表示パネルの有効領域の内側に配置されてもよい。反射シートの外周部は、前面側から見たときに、表示パネルの有効領域の外側に配置されてもよい。
【００８９】
以上のように構成された映像表示装置１では、前面側（Ｚ軸方向プラス）から見たときに、反射シート３０がフラッタ４０の外周縁４２よりも外側に延設されるように反射シート３０が配置される。フラッタの外側の領域において、光源が発した光を反射しない構成の映像表示装置では、表示パネルの有効領域の端部において、輝度低下や輝度むらが生じる可能性がある。しかし、映像表示装置１では、反射シート３０は、フラッタ４０の外側の領域においても、光源２１が発した光を反射できる。これにより、表示パネル７０の有効領域の端部であっても、輝度低下や輝度むらを低減できる。すなわち、本実施の形態に示す映像表示装置１によれば、比較的簡単な構成で、表示パネル７０の有効領域の端部における輝度低下や輝度むらを低減できる。
【００９０】
また、映像表示装置１において、反射シート３０の外周部３７は、フラッタ４０に交差する方向に沿って形成され、フラッタ４０の延長線上に配置されている。このため、映像表示装置１では、フラッタ４０と反射シート３０との間に隙間（間隔ｄ１）を設けた状態で、フラッタ４０の端部と反射シート３０の外周部３７とを対向して配置できる。光源２１から発せられ、この隙間を通ってきた光の一部は、外周部３７によって、表示パネル７０側や表示パネル７０の有効領域の中央側に向けて反射される。すなわち、反射シート３０は、輝度低下しやすい端部側（表示パネル７０の有効領域の端部側）において、光源２１が発した光の一部を、表示パネル７０側や表示パネル７０の有効領域の中央側に向けて反射できる。このため、映像表示装置１では、表示パネル７０の有効領域の端部であっても、比較的簡単な構成で、効果的に輝度低下や輝度むらを低減できる。
【００９１】
また、映像表示装置１において、反射シート３０の外周部３７は、フラッタ４０よりも前面側に配置されている。したがって、反射シート３０は、フラッタ４０の前面側においても、光源２１が発した光の一部を、表示パネル７０側や表示パネル７０の有効領域の中央側に向けて反射できる。このため、映像表示装置１では、表示パネル７０の有効領域の端部であっても、比較的簡単な構成で、効果的に輝度低下や輝度むらを低減できる。
【００９２】
また、映像表示装置１において、フラッタ４０の外周縁４２は、前面側から見たときに、表示パネル７０の有効領域の内側に配置されており、反射シート３０の外周部３７は、前面側から見たときに、表示パネル７０の有効領域の外側に配置されている。このため、映像表示装置１では、表示パネル７０の有効領域の端部をまたぐようにして、フラッタ４０と反射シート３０との間の隙間（間隔ｄ１）を設けることができる。これにより、映像表示装置１では、反射シート３０は、光源２１が発した光の一部を、表示パネル７０の有効領域の端部より外側から、有効領域の中央側に向けて反射できる。このため、映像表示装置１では、表示パネル７０の有効領域の端部であっても、比較的簡単な構成で、効果的に輝度低下や輝度むらを低減できる。
【００９３】
また、映像表示装置１では、フラッタ４０の外周縁４２と反射シート３０との間に、フラッタ４０の外周縁４２の全体に亘って隙間（間隔ｄ１）が形成されているため、フラッタ４０と反射シート３０とが互いに接触することが防止される。このため、例えば映像表示装置１がスピーカを有している場合に、スピーカから出力された音による振動で、フラッタ４０および反射シート３０の少なくとも一方が振動したとしても、フラッタ４０および反射シート３０が互いに接触して異音（ノイズ）が発生することが抑制される。
【００９４】
（他の実施の形態）
以上のように、本出願において開示する技術の例示として、実施の形態１を説明した。そのために、添付図面および詳細な説明を提供した。
【００９５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９６】
また、上述の実施の形態は、本開示における技術を例示するためのものであるから、特許請求の範囲またはその均等の範囲において種々の変更、置き換え、付加、省略などを行うことができる。また、上記実施の形態１で説明した各構成要素を組み合わせて、新たな実施の形態とすることも可能である。
【００９７】
なお、上述の説明における各部材の配置位置や形状等において、目的とする効果を得られる範囲での誤差やばらつきは許容される。また、上述の説明や特許請求の範囲における「輝度分布を均一化する」とは、厳密な意味での均一化を意味するではなく、目的とする効果を得られる範囲での誤差やばらつきは許容され、輝度分布の均一性を向上することもその中に含まれる。
【産業上の利用可能性】
【００９８】
本開示は、映像表示装置に適用可能である。具体的には、テレビジョン受像機、映像録画再生装置、またはコンピュータディスプレイ装置等に、本開示は適用可能である。
【符号の説明】
【００９９】
１    映像表示装置
１ａ    筐体
１０    ベースプレート
１１，１２    貫通孔
２０    光源基板
２１    光源
２２，２３    ドライバ素子
２４    開口
２５    ビス孔
３０    反射シート
３１    隔壁
３１ａ    交点部分
３１ｂ    直線部分
３１ｃ    傾斜面
３２，３３    開口
３５    凹部
３６    接着テープ
３７    外周部
４０    フラッタ
４１    孔
４２    外周縁
５０    光学シート
６０    モールドフレーム
６１    第１モールドフレーム
６２    第２モールドフレーム
６３，６４    クッション部材
７０    表示パネル
７１    領域
８０    ベゼル
９１    接続端子基板
９２    信号処理基板
９３    電源基板
１００    支持部材
１０５    軸部
１１０    壁部
１２０    係合部
１３０    板部
１４０    支持面
１５０    端部
Ｄ１    第１所定間隔
Ｄ２    第２所定間隔
ｄ１，ｄ２    間隔
【手続補正２】
【補正対象書類名】特許請求の範囲
【補正対象項目名】全文
【補正方法】変更
【補正の内容】
【特許請求の範囲】
【請求項１】
入力される映像信号に基づいて映像を表示する表示パネルと、
前面側の主面に複数の光源を有し、前記表示パネルの背面側に向けて前記複数の光源が発する光を照射する光源基板と、
前記光源基板の前記主面上に設けられ、前記複数の光源のうち互いに隣り合う２つの光源の間を仕切る中空の隔壁が形成された反射シートと、
前記表示パネルと前記光源基板との間に設けられ、前記光源基板から照射される前記光の輝度分布を均一化する板状の光学部材と、を備え、
前記反射シートは、前記前面側から見たときに、前記光学部材の外周縁よりも外側に延設される、
映像表示装置。
【請求項２】
前記反射シートの外周部は、前記光学部材に交差する方向に沿って形成され、前記光学部材の延長線上に配置される、
請求項１に記載の映像表示装置。
【請求項３】
前記反射シートの外周部は、前記光学部材よりも前面側に配置される、
請求項２に記載の映像表示装置。
【請求項４】
前記光学部材の外周縁は、前記前面側から見たときに、前記表示パネルの表示の有効領域の内側に配置され、
前記反射シートの外周部は、前記前面側から見たときに、前記有効領域の外側に配置される、
請求項１に記載の映像表示装置。
【手続補正３】
【補正対象書類名】図面
【補正対象項目名】全図
【補正方法】変更
【補正の内容】
【図１】
2017038084.tif 000013
【図２】
2017038084.tif 000014
【図３】
2017038084.tif 000015
【図４】
2017038084.tif 000016
【図５】
2017038084.tif 000017
【図６】
2017038084.tif 000018
【図７】
2017038084.tif 000019
【図８】
2017038084.tif 000020
【図９】
2017038084.tif 000021
【図１０】
2017038084.tif 000022
【国際調査報告】
2017038084.tif 000023
2017038084.tif 000024
2017038084.tif 000025
2017038084.tif 000026